(57)【要約】  【課題】状況に応じて、商品見本パネルの照明を制御する自動販売機の制御装置を提供することを目的とする。  【解決手段】商品内容を表す商品見本パネル１２と、商品見本パネル１２を後方から照らす照明手段を有する商品展示スペース１３を複数備えた自動販売機において、照明手段の照度を個別に制御する照明制御手段２１と、自動販売機がオペレーターに操作されているかを判定する操作判定手段２２と、照明制御手段２１と操作判定手段２２に接続された演算制御部２９を備え、演算制御部２９は、操作判定手段２２にて操作されていると判定した場合、商品見本パネル１２の照度を照明制御手段２１にて明るさを制御することで、表示の視認性を上げ、オペレート性を向上することができる。【選択図】図２
2009238108.tif 000002
【特許請求の範囲】
【請求項１】
商品内容を表す商品見本パネルと、前記商品見本パネルを後方から照らす照明手段を有する商品展示スペースを複数備えた自動販売機において、前記照明手段の照度を個別に制御する照明制御手段と、自動販売機がオペレーターに操作されているかを判定する操作判定手段と、前記照明制御手段と前記操作判定手段に接続された演算制御部を備え、前記演算制御部は、前記操作判定手段にて操作されていると判定した場合、前記商品見本パネルの照度を前記照明制御手段にて制御することを特徴とした自動販売機の制御装置。
【請求項２】
収納している商品別に関してオペレーターに操作されているかを判定する商品別操作判定手段を備え、前記演算制御部は、前記商品別操作判定手段にて操作されていると判定した場合、該当の前記商品見本パネルの照度を前記照明制御手段にて制御することを特徴とした請求項１に記載の自動販売機の制御装置。
【請求項３】
前記商品見本パネルに該当する選択ボタンのランプ状態を判定する選択ボタンランプ状態判定手段を備え、前記演算制御部は、前記選択ボタンランプ状態判定手段にて判定された選択ボタンランプの状態に連動して、該当の前記商品見本パネルの照度を前記照明制御手段にて制御することを特徴とした請求項１または２に記載の自動販売機の制御装置。
【請求項４】
前記操作判定手段にてオペレーターに操作されていると判定した場合に、前記商品見本パネルの照度を変化させるか否かを設定する切換え設定手段を備え、前記演算制御部は、前記切換え設定手段の設定に基づき、該当の前記商品見本パネルの照度を、前記照明制御手段にて制御することを特徴とした請求項１から３のいずれか一項に記載の自動販売機の制御装置。
【発明の詳細な説明】
【技術分野】
【０００１】
本発明は、自動販売機の外扉の正面に配置する複数種の商品見本パネルを装備して、照明したい商品見本パネルを任意に照明できる自動販売機の制御装置に関するものである。
【背景技術】
【０００２】
近年、この種の自動販売機の表示装置は、集客性の向上を図るため、自動販売機を大型化にして、販売品種を増加させ、消費者の購買意欲を増加させることが要求されている。そのため、販売商品を分かり易く表示する方法として、販売商品の図又は写真を印刷した広告パネルを扉の正面に配置し、さらには蛍光灯等の照明装置により広告パネルを明るく光らせ、より視認性を高め、販売商品の理解を深めるようにしているものがある（例えば、特許文献１参照）。
【０００３】
また、照明手段として発光ダイオードを用い、任意の商品見本やポスターパネル等を強調して照明でき、照明したい箇所を効果的に照明できるものもある（例えば、特許文献２）。
【０００４】
以下、図面を参照しながら、従来の自動販売機について説明する。
【０００５】
図１は従来の自動販売機のディスプレイ装置を示すものである。
【０００６】
図において、自動販売機の前面をなす扉１１と、各商品の外観等が示されている商品見本パネル１２と、各商品見本パネル１２をセットでき照明手段にて照明する商品展示スペース１３と、販売可能ランプや売切れランプ等の商品関連ランプを内包し、商品を購入する際に押す選択ボタン１４と、硬貨等を投入したり投入金額を表示したりする顧客操作部１５と、選択した商品を取出す商品取出口１６とが設けられている。
【０００７】
各商品展示スペース１３に商品見本パネル１２がセットされており、顧客が顧客操作部１５にて入金し、販売が可能となった商品に該当する選択ボタン１４の販売可能ランプを点灯させ、顧客が選択ボタン１４を押した場合、該当する商品を商品取出口１６に搬出する。
【特許文献１】実開平３−６６４７６号公報
【特許文献２】特開２００２−３５８５６１号公報
【発明の開示】
【発明が解決しようとする課題】
【０００８】
しかしながら、前記従来の構成では、商品見本パネルを照明したままであるため、オペレーターが選択ボタンを使用したり、自動販売機の正面の顧客操作部を見ながら操作したりする場合等で、見づらいという課題を有していた。
【０００９】
本発明は、前記従来の課題を解決するもので、オペレーターが操作を行っていると判断した場合、商品見本パネルの照度を制御ことで、オペレーターの操作性を向上させる自動販売機の制御装置を提供することを目的とする。
【課題を解決するための手段】
【００１０】
前記従来の課題を解決するために、本発明の自動販売機の制御装置は、商品内容を表す商品見本パネルと、前記商品見本パネルを後方から照らす照明手段を有する商品展示スペースを複数備えた自動販売機において、前記照明手段の照度を個別に制御する照明制御手段と、自動販売機がオペレーターに操作されているかを判定する操作判定手段と、前記照明制御手段と前記操作判定手段に接続された演算制御部を備え、前記演算制御部は、前記操作判定手段にて操作されていると判定した場合、前記商品見本パネルの照度を前記照明制御手段にて制御するとしたものである。
【００１１】
これによって、オペレーター操作時は、前記商品見本パネルの照度を下げたり、あるいは消灯したりの照明制御が可能となり、選択ボタンランプや顧客操作部表示の視認性を上げ、オペレート性を向上することができる。
【発明の効果】
【００１２】
本発明の自動販売機の制御装置は、状況に応じて、商品見本パネルの照明を制御することができ、オペレーターの操作性を向上することができる。
【発明を実施するための最良の形態】
【００１３】
請求項１に記載の発明は、商品内容を表す商品見本パネルと、前記商品見本パネルを後方から照らす照明手段を有する商品展示スペースを複数備えた自動販売機において、前記照明手段の照度を個別に制御する照明制御手段と、自動販売機がオペレーターに操作されているかを判定する操作判定手段と、前記照明制御手段と前記操作判定手段に接続された演算制御部を備え、前記演算制御部は、前記操作判定手段にて操作されていると判定した場合、前記商品見本パネルの照度を前記照明制御手段にて制御することにより、オペレーター操作時は、前記商品見本パネルの照度を下げ、暗くあるいは消灯し、選択ボタンランプや顧客操作部表示の視認性を上げ、オペレート性を向上することができる。
【００１４】
請求項２に記載の発明は、請求項１に記載の発明において、収納している商品別に関してオペレーターに操作されているかを判定する商品別操作判定手段を備え、前記演算制御部は、前記商品別操作判定手段にて操作されていると判定した場合、該当の前記商品見本パネルの照度を前記照明制御手段にて制御することにより、ハンディターミナルやリモコン等の商品コード設定手段にて設定された商品コードをもとに、該当の前記商品見本パネルの照度を上げ、明るくし、該当の商品見本パネルの視認性を上げ、さらなるオペレート性を向上することができる。
【００１５】
請求項３に記載の発明は、請求項１または２に記載の発明において、前記商品見本パネルに該当する選択ボタンのランプ状態を判定する選択ボタンランプ状態判定手段を備え、前記演算制御部は、前記選択ボタンランプ状態判定手段にて判定された選択ボタンランプの状態に連動して、該当の前記商品見本パネルの照度を前記照明制御手段にて制御することにより、選択ボタン操作に連動して、該当する前記商品見本パネルの照度を上げ、明るくし、操作箇所をオペレーターにアピールし、さらなるオペレート性を向上することができる。
【００１６】
請求項４に記載の発明は、請求項１から３のいずれか一項に記載の発明において、前記操作判定手段にてオペレーターに操作されていると判定した場合に、前記商品見本パネルの照度を変化させるか否かを設定する切換え設定手段を備え、前記演算制御部は、前記切換え設定手段の設定に基づき、該当の前記商品見本パネルの照度を、前記照明制御手段にて制御することにより、前記商品見本パネルの照度を変更するかしないかを、ロケーションやオペレーターの趣向に応じて切換えできる。
【００１７】
以下、本発明の実施の形態について、図面を参照しながら説明する。なお、この実施の形態によってこの発明が限定されるものではない。
【００１８】
（実施の形態１）
図１は本発明の自動販売機のディスプレイ装置を示すもので、基本構成は従来と同様であり、詳細な説明は省略する。図２は本発明の実施の形態１による自動販売機の制御装置の機能ブロック図である。図３は、同実施の形態の自動販売機の制御装置の動作を示すフローチャートである。
【００１９】
図２において、照明制御手段２１は、商品見本パネル１２を後方から照らす照明手段の照度を個別に制御する。尚、照明手段には発光ダイオードや蛍光灯、ランプなどが挙げられる。操作判定手段２２は、自動販売機がオペレーターに操作されているか否かを判定する。尚、オペレーターの操作は、ドア開閉、リモコン操作、冷温切換え、金銭回収等、自動販売機に関連するものである。
【００２０】
商品コード設定手段２３は、自動販売機の各収納庫にどのような商品を収容したかを、ハンディターミナルやリモコン等にて設定することができる。商品コード記憶手段２４は、商品コード設定手段２３にて設定された商品コードを記憶する。商品別操作判定手段２５は、商品別に関連した内容がオペレーターに操作されているか否かを判定する。尚、商品別に関連した内容には、商品コード設定や種別設定等がある。
【００２１】
選択ボタンランプ状態判定手段２６は、選択ボタンランプ状態がどのようになっているかを判定する。尚、選択ボタンランプ状態には、選択ボタンに内包されている販売可能ランプ、売切れランプ、準備中ランプ等の点灯、消灯、点滅等がある。切換え設定手段２７は、商品見本パネル１２の照度を変化させるか否かをリモコン等にて設定することができる。切換え記憶手段２８は、切換え設定手段２７にて設定された内容を記憶する。
【００２２】
演算制御部２９は、操作判定手段２２、商品コード記憶手段２４、商品別操作判定手段２５、選択ボタンランプ状態判定手段２６、切換え記憶手段２８に基づき、照度変更すべきか否かを判定し、照度変更すると判定した場合、該当の商品見本パネル１２の照度を照明制御手段２１にて照度を下げあるいは上げ、暗く、消灯あるいは明るくさせる。
【００２３】
以上のように構成された自動販売機の制御装置について、以下その動作を図３のフローチャートをもとにして説明する。
【００２４】
まず、演算制御部２９は、商品コード設定手段２３にて、オペレーター等が持っているハンディターミナルや自動販売機に付属しているリモコン等の操作に応じて、自動販売機の各収納庫別に商品コードが設定されたか否かを判定する。尚、設定するのは商品コードに限らず、商品を区別できるものならなんでもよい（ＳＴＥＰ１）。商品コード設定手段２３にて設定された商品コードを、商品コード記憶手段２４に記憶する（ＳＴＥＰ２）。切換え設定手段２７にて、自動販売機に付属しているリモコン等の操作に応じて、商品見本パネル１２の照度を変化させるかしないかを設定されたか否かを判定する（ＳＴＥＰ３）。切換え設定手段２７にて設定されたデータを、切換え記憶手段２８に記憶する（ＳＴＥＰ４）。操作判定手段２２にて、自動販売機がオペレーターに操作されているか否かを判定する（ＳＴＥＰ５）。
【００２５】
オペレーターにより、操作されていないと判定した場合、照明制御手段２１にて、従来通りの照明を行う（ＳＴＥＰ６）。オペレーターにより、ドア開閉あるいはリモコン操作をおこなわれたと判定した場合、全商品見本パネル１２の照度を照明制御手段２１にて照度を下げ、暗くあるいは消灯させ、自動販売機の正面部にある選択ボタン１４や顧客操作部１５を見やすくさせる。
【００２６】
またオペレーターにより、冷温切換え、金銭回収等、自動販売機に関連する内容別により、該当の商品見本パネル１２の照度を照明制御手段２１にて照度を下げ、暗くあるいは消灯させたり、照度を上げ下げして、点滅させたりして、オペレーターに操作箇所や操作内容を知らしめる。尚、オペレーターの操作や照明方法はここに記載以外のものでもよい（ＳＴＥＰ７）。商品別操作判定手段２５にて、商品別に関連した内容がオペレーターに操作されているか否かを判定する（ＳＴＥＰ８）。
【００２７】
商品別に関連した内容、例えば商品コード設定や種別設定が操作されたと判定した場合、商品コード記憶手段２４に記憶されている商品コードに該当の商品見本パネル１２の照度を照明制御手段２１にて照度を上げ、明るくさせたり、照度を上げ下げして、点滅させたりして、オペレーターに操作箇所や操作内容を知らしめる。尚、オペレーターの操作や照明方法はここに記載以外のものでもよい（ＳＴＥＰ９）。
【００２８】
選択ボタンランプ状態判定手段２６にて、選択ボタンランプ状態が変化したか否かを判定する（ＳＴＥＰ１０）。オペレーターの操作にて、選択ボタンランプ状態が変化した判定した場合、該当の商品見本パネル１２の照度を照明制御手段２１にて照度を上げ、明るくさせたり、照度を上げ下げして、点滅させたり、照度を下げ、暗くあるいは消灯して、オペレーターに操作箇所や操作内容を知らしめる。
【００２９】
尚、選択ボタンランプ状態には、選択ボタンに内包されている販売可能ランプ、売切れランプ、準備中ランプ等の点灯、消灯、点滅等の変化を判定するが、それ以外の状態でも構わない。また、オペレーターの操作や照明方法はここに記載以外のものでもよい（ＳＴＥＰ１１）。
【００３０】
以上のように本実施の形態１の自動販売機の制御装置によれば、オペレーター操作時は、商品見本パネル１２の照度を下げ、暗くあるいは消灯し、選択ボタン１４のランプや顧客操作部１５の表示の視認性を上げ、オペレート性を向上することができる。
【００３１】
また、ハンディターミナルやリモコン等の商品コード設定手段２３にて設定された商品コードをもとに、該当の商品見本パネル１２の照度を上げ、明るくし、該当の商品見本パネル１２の視認性を上げ、さらなるオペレート性を向上することができる。
【００３２】
また、選択ボタン１４の操作に連動して、該当する商品見本パネル１２の照度を上げ、明るくし、操作箇所をオペレーターにアピールし、さらなるオペレート性を向上することができる。
【００３３】
また、商品見本パネル１２の照度を変更するかしないかを、ロケーションやオペレーターの趣向に応じて切換えできる。
【産業上の利用可能性】
【００３４】
以上のように、本発明にかかる自動販売機の制御装置は、状況に応じて、商品見本パネルの照明を制御することができ、オペレーターの操作性を向上することができるので、オペレーターの操作を必要とする物品販売機等の用途にも適用できる。
【図面の簡単な説明】
【００３５】
【図１】従来および本発明の実施の形態１の自動販売機の正面図
【図２】本発明の実施の形態１による自動販売機の制御装置の機能ブロック図
【図３】同実施の形態の自動販売機の制御装置の動作を示すフローチャート
【符号の説明】
【００３６】
１２  商品見本パネル
１３  商品展示スペース
２１  照明制御手段
２２  操作判定手段
２５  商品別操作判定手段
２６  選択ボタンランプ状態判定手段
２７  切換え設定手段
２９  演算制御部
【図１】
2009238108.tif 000003
【図２】
2009238108.tif 000004
【図３】
2009238108.tif 000005